【事件の表示】
　平成１１年商標登録願第９１２３３号拒絶査定に対する審判事件について、次のとおり審決する。
【結　論】
　原査定を取り消す。
　本願商標は、登録すべきものとする。
【理　由】
１　本願商標
　本願商標は、「アルイオン」の片仮名文字を横書きしてなり、第１類「水を電気分解して得られる洗浄作用・殺菌作用を有するアルカリイオン水、その他の水」を指定商品として、平成１１年１０月６日に登録出願されたものである。
　
２　原査定の引用商標
　原査定において、本願の拒絶の理由に引用した登録商標は、以下のとおりである。
（１）登録第１９８２６８８号商標（以下「引用Ａ商標」という。）は、「ＡＬＢＩＯＮ」の欧文字と「アルビオン」の片仮名文字を二段に横書してなり、昭和５４年２月２２日登録出願、第１類「化学品（他の類に属するものを除く）薬剤、医療補助品」を指定商品として昭和６２年９月２１日に設定登録されたものである。
（２）登録第２２１４４０４号商標（以下「引用Ｂ商標」という。）は、「ＡＬＢＩＯＮ」の欧文字と「アルビオン」の片仮名文字を二段に横書してなり、昭和５６年１２月８日登録出願、第２９類「茶、コーヒー、清涼飲料、果実飲料、氷」を指定商品として平成２年２月２３日に設定登録されたものである。
（３）登録第３２２９７２２号商標（以下「引用Ｃ商標」という。）は、「ＡＬＢＩＯＮ」の欧文字と「アルビオン」の片仮名文字を二段に横書してなり、平成５年１０月１２日登録出願、第３２類「ビール，清涼飲料，果実飲料，飲料用野菜ジュース，乳清飲料，ビール製造用ホップエキス」を指定商品として同８年１１月２９日に設定登録されたものである。
（４）登録第３２４４３９３号商標（以下「引用Ｄ商標」という。）は、「ＡＬＢＩＯＮ」の欧文字と「アルビオン」の片仮名文字を二段に横書してなり、平成５年１０月１２日登録出願、第３０類「コーヒー及びココア，コーヒー豆，茶，調味料，香辛料，食品香料（精油のものを除く。），米，脱穀済みの大麦，食用粉類，食用グルテン，穀物の加工品，サンドイッチ，すし，ピザ，べんとう，ミートパイ，ラビオリ，菓子及びパン，即席菓子のもと，アイスクリームのもと，シャーベットのもと，アーモンドペースト，イーストパウダー，こうじ，酵母，ベーキングパウダー，氷，アイスクリーム用凝固剤，家庭用食肉軟化剤，ホイップクリーム用安定剤，酒かす」を指定商品として同９年１月３１日に設定登録されたものである。
（５）登録第３２４６８６７号商標（以下「引用Ｅ商標」という。）は、「ＡＬＢＩＯＮ」の欧文字と「アルビオン」の片仮名文字を二段に横書してなり、平成５年１０月１２日登録出願、第１類「化学品，植物成長調整剤類，のり及び接着剤（事務用又は家庭用のものを除く。），高級脂肪酸，非鉄金属，非金属鉱物，原料プラスチック，パルプ，工業用粉類，肥料，人工甘味料，陶磁器用釉薬」を指定商品として同９年１月３１日に設定登録されたものである。
（６）登録第３２５４３９２号商標（以下「引用Ｆ商標」という。）は、「ＡＬＢＩＯＮ」の欧文字と「アルビオン」の片仮名文字を二段に横書してなり、平成６年８月２３日登録出願、第３類「せっけん類，香料類，化粧品，つけづめ，つけまつ毛，かつら装着用接着剤，つけまつ毛用接着剤，洗濯用でん粉のり，洗濯用ふのり，歯磨き，家庭用帯電防止剤，家庭用脱脂剤，さび除去剤，染み抜きベンジン，洗濯用漂白剤，つや出し剤，研磨紙，研磨布，研磨用砂，人造軽石，つや出し紙，つや出し布，靴クリーム，靴墨，塗料用剥離剤」を指定商品として同９年１月３１日に設定登録されたものである。
（７）登録第３２７８０５２号商標（以下「引用Ｇ商標」という。）は、「ＡＬＢＩＯＮ」の欧文字と「アルビオン」の片仮名文字を二段に横書してなり、平成５年１０月１２日登録出願、第４類「工業用油，工業用油脂，燃料，ろう，靴油，固形潤滑剤，保革油，ランプ用灯しん，ろうそく」を指定商品として同９年４月１１日に設定登録されたものである。
（８）登録第３２８２０２９号商標（以下「引用Ｈ商標」という。）は、「ＡＬＢＩＯＮ」の欧文字と「アルビオン」の片仮名文字を二段に横書してなり、平成６年８月２３日登録出願、第１９類「建築用又は構築用の非金属鉱物，陶磁製建築専用材料・れんが及び耐火物，合成建築専用材料，アスファルト及びアスファルト製の建築用又は構築用の専用材料，ゴム製の建築用又は構築用の専用材料，しっくい，石灰製の建築用又は構築用の専用材料，石こう製の建築用又は構築用の専用材料，繊維製の落石防止網，建造物組立てセット（金属製のものを除く。），セメント及びその製品，木材，石材，建築用ガラス，建具（金属製のものを除く。），鉱物性基礎材料，タール類及びピッチ類，可搬式家庭用温室（金属製のものを除く。），人工魚礁（金属製のものを除く。），吹付け塗装用ブース（金属製のものを除く。），セメント製品製造用型枠（金属製のものを除く。），養鶏用かご（金属製のものを除く。），区画表示帯，土砂崩壊防止用植生板，窓口風防通話板，航路標識（金属製又は発光式のものを除く。），道路標識（金ビッド及びボラード（金属製のものを除く。），石製彫刻，コンクリート製彫刻，大理石製彫刻，石製郵便受け，灯ろう，飛び込み台（金属製のものを除く。），墓標及び墓碑用銘板（金属製のものを除く。），自転車用駐輪器具（金属製のものを除く。）」を指定商品として同９年４月１８日に設定登録されたものである。
（９）登録第３２９９４１３号商標（以下「引用Ｉ商標」という。）は、「ＡＬＢＩＯＮ」、「ＤＵＫＥ」の欧文字と「デューク」の片仮名文字を三段に横書してなり、平成６年１２月２７日登録出願、第２類「塗料，染料，顔料，印刷インキ，絵の具，塗装用・装飾用・印刷用又は美術用の非鉄金属はく及び粉，塗装用・装飾用・印刷用又は美術用の貴金属はく及び粉，防錆グリース，壁紙剥離剤，媒染剤，木材保存剤，カナダバルサム，コパール，サンダラック，シェラック，松根油，ダンマール，マスチック，松脂」を指定商品として同９年５月２日に設定登録されたものである。
（１０）登録第３３００２５２号商標（以下「引用Ｊ商標」という。）は、「ＡＬＢＩＯＮ」の欧文字と「アルビオン」の片仮名文字を二段に横書してなり、平成５年１０月１２日登録出願、第２類「塗料，染料，顔料，塗装用・装飾用・印刷用又は美術用の非鉄金属はく及び粉，塗装用・装飾用・印刷用又は美術用の貴金属はく及び粉，防錆グリース，壁紙剥離剤，媒染剤，木材保存剤，カナダバルサム，コパール，サンダラック，シェラック，松根油，ダンマール，マスチック，松脂」を指定商品として同９年５月２日に設定登録されたものである。
３　当審の判断
　本願指定商品の「水を電気分解して得られる洗浄作用・殺菌作用を有するアルカリイオン水、その他の水」と引用Ｂ及びＣ商標の指定商品中の「清涼飲料、果実飲料」とは、前者が化学品としての水であり、後者が飲み物であって、商品の用途が明らかに異なり、類似する商品であるということができない。
　してみれば、本願商標と引用Ｂ及びＣ商標とは、商標の類否について検討するまでもなく、指定商品において互いに抵触しないものであるから、この点に関しての拒絶の理由は解消したものである。　
　次に、本願商標と引用Ａ商標及び引用ＤないしＪ商標との類否について検討するに、本願商標は、上記のとおり「アルイオン」の文字よりなるところ、該文字に相応し、「アルイオン」の称呼を生ずるものである。
　他方、引用Ａ商標及び引用ＤないしＪ商標からは、その商標中の「ＡＬＢＩＯＮ」の欧文字及び「アルビオン」の片仮名文字に相応し、「アルビオン」の称呼を生ずるものである。
　そこで、本件商標より生ずる「アルイオン」の称呼と引用Ａ商標及び引用ＤないしＪ商標より生ずる「アルビオン」の両称呼を比較すると、両称呼は、比較的短い５音よりなり、そのうちの第３音目において「イ」と「ビ」の差異を有するものであるところ、「イ」は、唇を平たく開き、舌の先を下方に向け、前舌面を高めて硬口蓋に接近させ声帯を振動させて発する音であるのに対し、「ビ」は、両唇を合わせて破裂させる有声子音（ｂ）と母音（ｉ）との結合した音節であって、調音位置、調音方法を全く異にするものであるところから、この差異が両称呼に与える影響は大きく、それぞれを一連に称呼した場合であっても、十分に聴別し得るものである。
　また、本件商標と引用Ａ商標及び引用ＤないしＪ商標とは、前記のとおりの構成よりなるものであるから、外観においては、十分に区別し得る差異を有するものであり、観念おいては、共に造語と認められるから、比較することができない。　
　そうすると、本願商標と引用商標とは、その外観、称呼及び観念のいずれの点よりみても、非類似の商標といわざるを得ない。
　したがって、本願商標が商標法第４条第１項第１１号に該当するとして、本願を拒絶した原査定は、取消しを免れない。
　その他、本願について拒絶の理由を発見しない。
　よって、結論のとおり審決する。